(57)【要約】【課題】  記録直後に、記録された情報の照合をわずかな時間差で、逐次、実行できる高速記録照合化が可能な光情報記録再生装置及び光情報記録照合方法を提供する。【解決手段】  データを光ディスク１１へ記録するための第１のレーザダイオード３１と、第１のレーザダイオード３１に隣接且つ発振光軸が平行になるように載置された光ディスクに記録されたデータを読み出す第２のレーザダイオード３２とを備えて、第１のレーザダイオード３１と第２のレーザダイオード３２はトラック上を照射し、第１のレーザダイオード３１は一連の記録動作における後に記録される側のトラック上の位置を照射して、第２のレーザダイオード３２は先に記録される側のトラック上の位置を照射するように配置され、第１及び第２のレーザダイオード３１、３２の発光は個別に制御される。【選択図】  図１
2005182911.tif 000002
【特許請求の範囲】
【請求項１】
データが記録されるらせん状のトラックを有し、データ領域を含むセクタ領域あるいはブロック領域を有するフォーマットが定義された情報記録媒体への光情報記録再生装置であって、
データを前記情報記録媒体へ記録するための第１のレーザダイオードと、
前記第１のレーザダイオードに隣接且つ発振光軸が平行になるように載置された情報記録媒体に記録されたデータを読み出す第２のレーザダイオードと、
を備えて、前記第１のレーザダイオードと前記第２のレーザダイオードはトラック上を照射し、前記第１のレーザダイオードは一連の記録動作における後に記録される側のトラック上の位置を照射して、前記第２のレーザダイオードは先に記録される側のトラック上の位置を照射するように配置され、前記第１及び第２のレーザダイオードの発光は個別に制御されることを特徴とする光情報記録再生装置。
【請求項２】
前記第２のレーザダイオードは前記第１のレーザダイオード照射部とのトラック上の距離が最短となる部分を照射するように配置されていることを特徴とする請求項１に記載の光情報記録再生装置。
【請求項３】
前記第１のレーザダイオードと前記第２のレーザダイオードは、同一半導体基板上にモノリシックに形成されていることを特徴とする請求項１または２に記載の光情報記録再生装置。
【請求項４】
前記第１のレーザダイオード及び第２のレーザダイオードの発光点間隔が５０μｍ〜２００μｍであることを特徴とする請求項１乃至３のいずれか１項に記載の光情報記録再生装置。
【請求項５】
前記第１のレーザダイオード及び第２のレーザダイオードの発振波長は、７８０ｎｍ帯、６８０ｎｍ帯、６５０ｎｍ帯、または、４０５ｎｍ帯のいずれか一つであることを特徴とする請求項１乃至４のいずれか１項に記載の光情報記録再生装置。
【請求項６】
前記第１のレーザダイオード及び第２のレーザダイオードの発振波長のずれは、５０ｎｍ以下であることを特徴とする請求項１乃至５のいずれか１項に記載の光情報記録再生装置。
【請求項７】
データが記録されるらせん状のトラックを有し、データ領域を含むセクタ領域あるいはブロック領域を有するフォーマットが定義された情報記録媒体への光情報記録照合方法であって、
記録指示に基づいて第１のデータを準備する工程と、
前記第１のデータを第１のレーザダイオードを使用して前記情報記録媒体へ記録して第２のデータとする工程と、
前記第１のレーザダイオードによる記録後、前記情報記録媒体が１回転する前に、前記第２のデータに、第２のレーザダイオードを照射して読み出す工程と、
読み出した前記第２のデータを前記第１のデータと照合する工程と、
を有することを特徴とする光情報記録照合方法。
【請求項８】
前記第２のデータを前記第１のデータと照合した結果、前記第２のデータは前記第１のデータと一致しないと判断される場合、一つのセクタあるいはブロックを単位として、予め用意した交替セクタあるいは交替ブロックと交替することを特徴とする請求項７に記載の光情報記録照合方法。
【発明の詳細な説明】
【技術分野】
【０００１】
本発明は、光情報記録再生装置及び光情報記録照合方法に関し、特に、情報を光ディスクや光磁気ディスク等に記録した後、記録した情報を元の情報と照合する光情報記録再生装置及び光情報記録照合方法に関する。
【背景技術】
【０００２】
近年、情報記録媒体の大容量化と、情報記録媒体への記録の高速化が求められている。
【０００３】
情報記録媒体の大容量化は記録及び再生の高速化を伴っている。大容量化、すなわち記録密度の向上へ向けて、光ディスクにおいては、ＣＤ（Ｃｏｍｐａｃｔ  Ｄｉｓｃ）からＤＶＤ（Ｄｉｇｉｔａｌ  Ｖｅｒｓａｔｉｌｅ  Ｄｉｓｃ）へ、光磁気ディスクにおいては、ＭＯ（Ｍａｇｎｅｔｏ−Ｏｐｔｉｃａｌ  Ｄｉｓｃ）の記録密度の向上等の変遷が見られる。これは、赤外光から赤色へと発光波長が短波長化されたレーザダイオードの技術開発に同調しており、更に、短波長化された青紫色のレーザダイオード開発が進められている。
【０００４】
光ディスクであるＣＤあるいはＤＶＤ等は、それぞれ、再生専用ＲＯＭ（Ｒｅａｄ  Ｏｎｌｙ  Ｍｅｍｏｒｙ）から始まり、光源である光出力の大きなレーザダイオードや追記可能な有機色素型ディスク、記録及び消去可能な相変化型ディスクが開発されて、それらの光ディスクを記録媒体とする光学的情報記録再生装置（以下、光情報記録再生装置という）が開発されてきた。光出力が増大するにつれて、光ディスクの記録面を一定温度まで加熱する時間の短縮が図られて、情報記録の高速化が図られている。
【０００５】
このような追記あるいは書き換え型の光ディスクあるいは光磁気ディスクにおいて、データが記録されるときには、リードアフタライトが行われデータが正しく記録されたか否かが確認される。例えば、光ディスクでは、正しいデータが読み取られないときはこのセクタ領域が欠陥セクタ領域と判断され、この欠陥セクタ領域への記録データは、予め設定された交替セクタ領域に記録されるようになっている。
【０００６】
光ディスクは、例えば、らせん状（スパイラル状）のトラックを有し、所定のトラック長からなる複数のセクタ領域、及びこれらのセクタ領域の集まりからなるブロック領域を有するフォーマットが定義されている。
【０００７】
そして、製造時における初期欠陥のあるセクタをセクタ単位で飛ばして別のセクタにデータを記録し、複数のブロックの中の所定数のブロックを、データ記録時における二次欠陥のあるセクタを含むブロックの交替のための交替ブロックとし、二次欠陥のあるセクタを含むブロックをブロック単位で前記交替ブロックと交替する方法が開示されている（例えば、特許文献１参照。）。ここでは、一つのレーザダイオードを用いて、一つの単位（ブロック）の記録が終了した後、照合（ベリファイ）が行われている。
【０００８】
記録時には、注入電流を上げてレーザダイオードの光出力を大きくして、光ディスク表面の記録層を必要な温度になるように加熱して、記録層の表面に、例えば、相変化を起こして、データを書き込む。再生時には、レーザダイオードの注入電流を下げて光出力を小さくして、記録層からの反射光を受光素子で受光してデータを読み出している。
【０００９】
照合時は、記録が済んだデータを読み出して元のデータと照合することになるために、例えば１セクタあるいは１ブロックの記録が済んだ後に、そのセクタあるいはブロックを再生して元のデータとの照合処理が行われる。すなわち、一つのレーザダイオードを用いて記録及び照合を行っている限り、同一トラック部を記録モードにして1回、照合モードにして１回の合計２回の照射を行う必要があり、この工程シークエンスが高速記録照合に対して障害となるという問題があった。
【特許文献１】特開平９−２５９５４７号公報  （第９頁、第１８図）
【発明の開示】
【発明が解決しようとする課題】
【００１０】
上述したように、記録媒体に記録する場合、一つのレーザダイオードを用いて、一つの単位の記録が済んだ後に再生して照合するというシークエンスでは、記録時間と照合時間を足し合わせた時間がかかることになるという問題があった。
【００１１】
従って、本発明は、記録直後に、記録された情報の照合をわずかな時間差で、逐次、実行できる高速記録照合化が可能な光情報記録再生装置及び光情報記録照合方法を提供することを目的とする。
【課題を解決するための手段】
【００１２】
上記目的を達成するために、本発明の一態様の光情報記録再生装置は、データが記録されるらせん状のトラックを有し、データ領域を含むセクタ領域あるいはブロック領域を有するフォーマットが定義された情報記録媒体への光情報記録再生装置であって、データを前記情報記録媒体へ記録するための第１のレーザダイオードと、前記第１のレーザダイオードに隣接且つ発振光軸が平行になるように載置された情報記録媒体に記録されたデータを読み出す第２のレーザダイオードとを備えて、前記第１のレーザダイオードと前記第２のレーザダイオードはトラック上を照射し、前記第１のレーザダイオードは一連の記録動作における後に記録される側のトラック上の位置を照射して、前記第２のレーザダイオードは先に記録される側のトラック上の位置を照射するように配置され、前記第１及び第２のレーザダイオードの発光は個別に制御されることを特徴とする。
【００１３】
また、本発明の別態様の光情報記録照合方法は、データが記録されるらせん状のトラックを有し、データ領域を含むセクタ領域あるいはブロック領域を有するフォーマットが定義された情報記録媒体への光情報記録照合方法であって、記録指示に基づいて第１のデータを準備する工程と、前記第１のデータを第１のレーザダイオードを使用して前記情報記録媒体へ記録して第２のデータとする工程と、前記第１のレーザダイオードによる記録後、前記情報記録媒体が１回転する前に、前記第２のデータに、第２のレーザダイオードを照射して読み出す工程と、読み出した前記第２のデータを前記第１のデータと照合する工程とを有することを特徴とする。
【発明の効果】
【００１４】
本発明によれば、記録直後に、記録された情報の照合をわずかな時間差で、逐次、実行できる高速記録照合化が可能な光情報記録再生装置及び光情報記録照合方法を提供することができる。
【発明を実施するための最良の形態】
【００１５】
以下、本発明の実施例について、図面を参照しながら説明する。なお、各図において、同一の構成要素には同一の符号を付す。
【実施例】
【００１６】
実施例に係る光情報記録再生装置及び光情報記録照合方法について、図１乃至図７を参照しながら説明する。
【００１７】
図１は、光学的な方法を用いた光情報記録再生装置の構成を概略的に示すブロック図、図２は、光情報記録再生装置の主要部品である光学ヘッドを概略的に示す構成図、図３は、外囲器の一部を切欠した光学ヘッドの主要部品である集積レーザの斜視図、図４は、２つのレーザダイオード（以下、ＬＤという）をモノリシックに集積したＬＤチップを示す斜視図、図５は、情報（以下、データという）の記録及び照合の動作を示すフローチャート、図６は、光ディスクの記録層上に記録された記録マークと２つのＬＤの照射部を拡大して模式的に示す平面図、図７は、２つのＬＤを使用して行う記録工程及び照合工程における光出力を一つのＬＤを使用した場合と比較したタイムチャートである。
【００１８】
図１に示すように、光情報記録再生装置である光ディスク装置１は、光ディスク１１にＬＤ光を照射して、データを記録、あるいは、記録されたデータを再生する装置である。
【００１９】
光ディスク装置１は、光ディスク１１を回転するスピンドルモータ１２、光ディスク１１へのＬＤ光照射及び反射光検出を行う光学ヘッド１３、ＬＤを駆動するＬＤ制御部１４、データ生成を行う変調部１５、記録されたデータの照合を行うデータ照合部１６、データを再生する復調部１７、スピンドルモータ１２及び光学ヘッド１３の動作を駆動、制御するサーボ制御部１８、ＣＰＵ、メモリ等を有するコントローラ２１、ホストコンピュータ（図示略）等に対する窓口となるインタフェース２２を有する構成である。
【００２０】
光ディスク１１は、例えば、ＤＶＤ-ＲＡＭ（Ｒａｎｄｏｍ  Ａｃｃｅｓｓ  Ｍｅｍｏｒｙ）ディスクであり、らせん状にトラックが形成されている。この光ディスク１１は、内周側よりリードイン領域、データ領域、リードアウト領域の３つで構成される。データ領域は、更に複数のトラック部からなる複数のゾーンに分割され、ゾーン毎に、内周から外周に向かってクロック波数値は高くなっている。一つのゾーンは複数のセクタで構成され、例えば、ゾーン数は３５、最内周のゾーンは２５個、最外周のゾーンは５９個のセクタで構成される。一つのセクタ長は２６９７バイトであり、セクタ内には、データ長が２０４８バイトの主データ等が、記録形式に適した形で変換され格納される。データが読み出される場合、例えば、１ブロック（１６セクタ）として読み出される。
【００２１】
光ディスク１１は、記録あるいは再生時にスピンドルモータ１２により回転され、サーボ制御部１８により回転の駆動及び制御が行われる。
【００２２】
光学ヘッド１３は、記録用あるいは再生用のＬＤ光を、光ディスク１１の記録層に向かって照射するために、記録用の第１のレーザダイオードである第１ＬＤ３１及び再生用の第２のレーザダイオードである第２ＬＤ３２が搭載されている。第１及び第２ＬＤ３１、３２は、同時に、トラック上を照射するように配置されているが、ＬＤ制御部１４により別々に駆動、制御される。
【００２３】
また、光学ヘッド１３は、再生用の第２ＬＤ３２から照射されて、光ディスク１１の記録層に当たって反射して来た光を検出、増幅するための受光素子と増幅回路からなる受光ＰＤＩＣ３９を有して、検出信号をデータ照合部１６、復調部１７、あるいはサーボ制御部１８に出力する。
【００２４】
ＬＤ制御部１４は、変調部１５からの記録信号に応じて、記録時には、光学ヘッド１３から光ディスク１１に照射する第１ＬＤ３１の光強度を制御し、再生時には、光学ヘッド１３から光ディスク１１に照射する第２ＬＤ３２光が一定のレベルとなるように制御する。
【００２５】
変調部１５は、例えば、バッファメモリ（図示略）等に蓄積してある記録しようとするデータを記録形式に適するように変換し、ＬＤ制御部１４に出力する。
【００２６】
サーボ制御部１８は、受光ＰＤＩＣ３９からの検出信号に基づいて、回転サーボ信号及びスレッド制御信号、トラッキングサーボ信号並びにフォーカスサーボ信号を生成する。回転サーボ信号は、サーボ制御部１８にあるモータドライバ（図示略）に供給され、この信号に基づいてスピンドルモータ１２が制御される。
【００２７】
スレッド制御信号、トラッキングサーボ信号及びフォーカスサーボ信号は、例えば、サーボ制御部１８にあるモータドライバ（図示略）に供給され、このモータドライバが、スレッド制御信号により光学ヘッド１３を光ディスク１１の半径方向に移動させるとともに、トラッキングサーボ信号により光学ヘッド１３を半径方向に搖動させる。この動作により、光学ヘッド１３から光ディスク１１に照射されるＬＤ光をトラックに追従させる、いわゆる、トラッキング制御が行われる。
【００２８】
また、サーボ制御部１８にあるモータドライバは、フォーカスサーボ信号に基づいて光学ヘッド１３を光ディスク１１に垂直な方向に揺動させる。これにより、光学ヘッド１３から光ディスク１１の記録層に照射されるＬＤ光が光ディスク１１上に合焦させる、いわゆる、フォーカス制御が行われる。
【００２９】
データ照合部１６は、光ディスク１１に書き込んだデータが正確に記録されているかどうかを検証するために、受光ＰＤＩＣ３９からの検出信号を変調部１５から出力された信号と照合する。この結果に基づいて、例えばコントローラ２１から指示が出され、欠陥セクタあるいは欠陥ブロックは、交替セクタあるいは交替ブロックへ交替するための処理が行われる。
【００３０】
復調部１７は、受光ＰＤＩＣ３９からの検出信号を復調して再生データとする。復調部１７で復調された再生データは、例えば、コントローラ２１の中にあるバッファメモリ（図示略）に記憶される。再生データは、付加されたパリティデータに基づき誤り訂正が行われる。
【００３１】
誤り訂正された再生データは、コントローラ２１からインタフェース２２を通してホストコンピュータ（図示略）に出力され、また、外部からの記録するためのデータは、インタフェース２２を通して、コントローラ２１に入力される構成である。
【００３２】
次に、光学ヘッド１３について、特に、光学系及びそこに使用されるＬＤについて詳しく説明する。
【００３３】
光学ヘッド１３は、図２に示すように、記録するための光出力の大きな、例えば数十ｍＷのＬＤ光と、再生するための光出力の小さな、例えば数ｍＷのＬＤ光とを、好適に光ディスク１１の記録層に照射する装置である。
【００３４】
大きな光出力が可能な第１ＬＤ３１及び小さな光出力の第２ＬＤ３２を、発振光軸が平行になるように互いに近接して金属製外囲器に内蔵した集積レーザ５、光を平行光束にするコリメートレンズ３６、光を透過光と反射光に分離するビームスプリッタ３５、ビームスプリッタ３５で反射した光が光ディスク１１に向かって進み、この光を集光するための対物レンズ３７、光ディスク１１面から反射してくる光を集光レンズ３８で集光して、それを検知、増幅する受光ＰＤＩＣ３９、また、第１ＬＤ３１の光出力を制御するための第１モニタＰＤ３４を有する構成である。
【００３５】
第１ＬＤ３１及び第２ＬＤ３２は、例えば発光点間隔が１１０μｍ離れて形成されている。これらからの第１ＬＤ光４１及び第２ＬＤ光４２は、一つのコリメートレンズ３６及び一つのビームスプリッタ３５を通って、一つの対物レンズ３７を共通に使って、トラック上を照射して、光ディスク１１の記録層上にある第１ＬＤ照射部５１と第２ＬＤ照射部５２とのトラック上の距離が最短となるように構成される。第１及び第２ＬＤ光４１、４２は、ビームスプリッタ３５の反射面で９０度曲げられる。
【００３６】
なお、トラックはらせん状であるが同心円に極近いので、第１ＬＤ照射部５１と第２ＬＤ照射部５２を結ぶ線分が、光ディスク１１の記録層上にあって、その結ぶ線分の垂直２等分線が光ディスク１１の回転中心を通る位置関係に置けば、両照射部はトラック上に乗ることになる。
【００３７】
第１ＬＤ３１は、光ディスク１１の回転方向に対して後側を照射し、第２ＬＤ３２は、光ディスク１１の回転方向の前側を照射する位置関係に配置されている。すなわち、光ディスク１１が回転している時、光ディスク１１の同一箇所を、最初、第１ＬＤ３１が照射し、次に、一定距離だけ離れて設置された第２ＬＤ３２が照射することになる。
【００３８】
第１モニタＰＤ３４は、第２ＬＤ３２からのＬＤ光を受光しないで、第１ＬＤ３１のＬＤ光のみを受光するように、第１モニタＰＤ３４の受光部を図面の上方に移動させて設置してある。受光ＰＤＩＣ３９は、光ディスク１１から反射してくる第１ＬＤ３１からのＬＤ光を受光しないで、第２ＬＤ３２のＬＤ光のみを受光するように、受光ＰＤＩＣ３９の受光部を図面の左方向に移動させて設置してある。これら移動させる距離は、第１ＬＤ３１及び第２ＬＤ３２の発光点間隔にＬＤ光の広がりを考慮した距離となる。
【００３９】
また、第１モニタＰＤ３４は、入射してきたＬＤ光がそれぞれ入射方向に反射して戻ることを避けるために、入射方向に対して垂直な位置から数度の傾きを与えて、傾斜させてある。
【００４０】
次に、集積レーザ５は、図３に示すように、近接配置された第１ＬＤ３１及び第２ＬＤ３２から構成されるＬＤチップ３０を、ステム４６とキャップ４７からなる外囲器の内部に載置した構造である。集積レーザ５には、４本の内の３本のリ−ドピン３３が電気的絶縁されて植設された金属製のステム４６に、ＬＤチップ３０及び第２ＬＤ３２のＬＤ光をモニタするための第２モニタＰＤ４０が固定されている。
【００４１】
ＬＤチップ３０は、放熱性のよい絶縁性サブマウント４５にマウントされ、ステム４６の対向側にＬＤ光を放射するようにステム４６と垂直に固定されている。また、第２モニタＰＤ４０は、ＬＤチップ３０の一方の放射光を受光するようにステム４６に固定されている。これらＬＤチップ３０及び第２モニタＰＤ４０は、Ａｕワイヤによりリード３３と電気的接続されている。
【００４２】
また、金属性のキャップ４７は金属性のステム４６に封着されている。このキャップ４７の頂部には、レーザ光を取出すためのウィンドウガラス４８が設けられ、ＬＤチップ３０からの第１及び第２ＬＤ光４１、４２は、ＬＤチップ３０の一方の端面からウィンドウガラス４８を通して外囲器の外部に向けて放射される。他方の端面では、第２ＬＤ３２からのＬＤ光は、発光を制御するための第２モニタＰＤ４０に入射するが、第１ＬＤ３１からのＬＤ光は、ステム４６に設けた凸部（図示略）に阻まれてほとんど１００％カットされる。
【００４３】
このＬＤチップ３０は、図４に示すように、波長６５０ｎｍ帯の赤色のＬＤ光を発振するＩｎＧａＡｌＰ系からなる第１及び第２ＬＤ３１、３２が、同一の半導体基板上にモノリシックに形成され、水平方向に並置された構造になっている。なお、ＬＤ光はＬＤチップ３０の両端面から放射されるが、図４では、一端面からの放射のみが示されている。また、第１及び第２ＬＤ３１、３２の発光点間隔は、上述のように１１０μｍに形成されており、第１及び第２ＬＤ３１、３２は、分離溝４３によって電気的に分離されており、それぞれを独立して駆動することが可能である。
【００４４】
ＬＤチップ３０は、１枚の半導体基板上に半導体製造工程によって作製されている。そのため、半導体製造工程におけるマスク合わせ、結晶成長、その他の加工精度等で第１及び第２ＬＤ３１、３２の間隔が決まり、その結果、発光点間隔あるいはＬＤ発振光軸の平行度も決まることになり、ばらつきはほとんど無視できる程度に精度の高い平行なＬＤ光を放射可能である。従って、第１及び第２ＬＤ光４１、４２をトラック上に精度よく照射することが可能である。
【００４５】
次に、上述の光ディスク装置１用いて、光ディスク１１に記録すべきデータを書き込み、書き込んだデータが正しいかどうかを照合する工程を説明する。
【００４６】
図５に示すように、例えば、ＤＶＤ−ＲＡＭ用の光ディスク装置１は、外部からインタフェース２２を通して入力される記録指示を受け取る（ステップＳ１１）。
【００４７】
この指示に基づいて、光ディスク１１に記録すべきデータを、例えばバッファメモリに取り込む（ステップＳ１２）。
【００４８】
バッファメモリに取り込まれたデータは、ＤＶＤ−ＲＡＭに適したデータ記録形式に変換される（ステップＳ１３）。
【００４９】
変換されたデータ（第１のデータ）は、ＬＤ制御部１４へ出力される（ステップＳ１４）。
【００５０】
光学ヘッド１３は、光ディスク１１の定められた位置に移動して、焦点調節等が施され、同時に、ＬＤ制御部１４において、データを記録用第１ＬＤ３１の光出力用に変換し、ＬＤを駆動して、光ディスク１１表面に形成された、例えば、ＧｅＳｂＴｅ系の記録層に対して第１ＬＤ３１から放射を促す。照射された記録層がアモルファス相または結晶相に変化することによって、反射率が異なる２値化されたデータ（第２のデータ）が形成され、これが記録となる（ステップＳ１５）。
【００５１】
一方、再生／照合用の第２ＬＤ３２は、ＬＤ制御部１４から一定の光出力で照射するように制御されて、光ディスク１１の定められた位置を照射する。第１ＬＤ３１と第２ＬＤ３２の間隔は、上述した集積レーザ５の発光点間隔１１０μｍに設定されているので、第２ＬＤ３２は、約１１０μｍ遅れで、第１ＬＤ３１が記録した直後のトラック上を照射しながら、逐次、データを読み出す（ステップＳ１６）。
【００５２】
読み出したデータ（第２のデータ）は、変調部１５から呼び出してきたバッファメモリ等に格納された元のデータ（第１のデータ）と照合される（ステップＳ１７）。
【００５３】
読み出したデータが正しければ、記録すべきデータが残っているかどうか確認する（ステップＳ１９）。記録すべきデータがなくなるまで、ステップＳ１４からステップＳ１９までを繰り返して、書き込みを行い、記録すべきデータがなくなった時点で終了となる。
【００５４】
一方、読み出したデータが正しくなければ、書き込み中のセクタまたはブロックを欠陥セクタまたは欠陥ブロックに指定して、交替セクタまたは交替ブロックに書き込む交替処理を行う（ステップＳ１８）。ここで、交替処理とは、欠陥を想定して予め準備しておいた光ディスク上の交替処理用のデータ記録領域に、書き込み中のデータを一つの単位（セクタまたはブロック等）で書き込んで、欠陥となったセクタまたはブロックを置き換える処理である。欠陥セクタ等は登録、管理される。
【００５５】
交替処理後は、データの次の単位に移り、記録すべきデータが残っているかどうか確認して（ステップＳ１９）、以下、上述したフローと同様に、記録すべきデータがなくなるまで書き込みを行い、終了となる。
【００５６】
この方法では、書き込んだデータを、書き込んだ直後に読み出して照合するので、書き込み（記録）と読み出し（再生）を、光ディスク１１が１回転する前に行うことができる。書き込み終了から、読み出し終了までのトラック上の距離は約１１０μｍ、回転角では１度以下である。
【００５７】
また、書き込み中のデータに欠陥があるかどうかが、書き込み直後に分かるので、すぐに交替処理に移行することができる。つまり、その後の、一つの単位が終了するまで書き込むという無駄が省略できる。
【００５８】
次に、上記の構成及び工程に従って、データの記録、照合を行う場合、記録照合時間がどの程度短縮されるかついて説明する。ここでは、記録と照合のためのＬＤの動作及び検出に限定する。
【００５９】
まず、図６に示すように、光ディスク１１の記録層上に記録された記録マーク５５が連なり、左右方向にトラックを形成している。トラック間隔は、例えば０．６１５μｍである。記録マーク５５は、第１ＬＤ照射部５１でアモルファス相に形成された部分であり、記録マーク５５に挟まれたトラック方向の部分は、第１ＬＤ照射部５１で結晶相に形成された部分である。第１ＬＤ照射部５１は、ＬＤの光出力を高めて、前に記録されていたデータを消去しながら、新しく記録すべきデータを記録して行く。
【００６０】
第２ＬＤ照射部５２は、ＬＤの光出力を低く一定にして、記録されたマーク５５部等を含むトラック上を途切れることなく照射して行く。
【００６１】
第１ＬＤ照射部５１と第２ＬＤ照射部５２との間隔は、ＬＤチップ３０における第１ＬＤ３１と第２ＬＤ３２の発光点間隔に比例するような位置関係になり、例えば、両間隔が同じになるようにビームスプリッタ３５の反射面で９０度曲げられる場合、その間隔は約１１０μｍとなる。この１１０μｍを光ディスクが回転して進むうちに、記録したアモルファス相または結晶相は十分安定した相となる。
【００６２】
次に、図７を参照しながら、消去を含む記録工程と、その後に続いて行われる照合工程のタイムチャートを、縦軸にＬＤの相対的な光出力を取って説明する。図７に示すように、光出力Ｐｏが最も大きいＰｗで書き込み（アモルファス相形成）、少し下げてＰｅで消去（結晶相形成）を行い、更に低いＰｒの状態で読み出し（再生）が行われる。記録工程は、光出力がＰｗ、Ｐｅ、及びＰｅ以下の３段階を定めて、パルス出力を制御して、記録層をアモルファス相または結晶相に変化させる工程であり、照合工程は、光出力をＰｒとして、記録層の状態に変化を及ぼすことなく読み出す再生工程である。
【００６３】
図７（ａ）は、記録用の第１ＬＤ３１の動作を示している。最初、記録データの書き込み指示が来るまでは待機状態であるが、書き込み指示が出る（ｔ１時）と、ＬＤ制御部１４は書き込み信号に適する光出力の制御を始める。以下、ＬＤ制御部１４からの信号に応じて、パルス状のＬＤ光が放射され、アモルファス相の記録マーク５５とその間の結晶相を形成して行き、ＬＤ制御部１４の指示により書き込みを終了（ｔ２）する。
【００６４】
この後、書き込み指示が出るまでは待機状態である。図面右側には、参考のため、従来の一つのＬＤを使用して記録／照合を行う場合の終了時間ｔ４を記入してある。なお、第１ＬＤ３１の光出力に対応した記録マーク５５の形状を、横軸を時間軸として、時間軸の近傍に網掛けをして模式的に示してある。
【００６５】
図７（ｂ）は、再生用の第２ＬＤ３２の動作を示している。最初、照合データの読み込み指示が来るまでは待機状態であるが、書き込み指示と同時に照合指示が出る（ｔ１）と、ＬＤ制御部１４は、一定の光出力Ｐｒとなるように制御を始める。図７（ａ）の記録用の第１ＬＤ３１に比較して、トラック距離約１１０μｍを回転する時間の遅れのために、照合工程の開始を遅らせても差し支えない。そして、逐次、データの照合を行う。終了時は、第１ＬＤ３１が直前に書き込んだ記録を読み出さねばならないので、トラック距離約１１０μｍを回転した後、読み出しを終了（ｔ３）する。この間の光ディスク１１の回転角はせいぜい０．３度程度であり、ｔ３はｔ２とほとんど同じと考えてよい。
【００６６】
図７（ｃ）は、比較のために、従来の記録用と再生用を一つのＬＤで行う場合の動作を示している。図７（ｃ）に示すように、前半の記録は、図７（ａ）の記録用の第１ＬＤの動作と全く同じ（ｔ１からｔ２まで）であり、後半の再生は、図７（ｂ）の再生用の第２ＬＤの動作とほとんど同じである。しかしながら、再生工程の時間（ｔ２からｔ４まで）が記録工程（ｔ１からｔ２まで）の後に付け加えられる。記録工程と照合工程で光ディスク１１の回転速度が一定とすると、ｔ１からｔ４までの時間は、ｔ１からｔ２までの時間の約２倍となる。
【００６７】
上述したように、図７の（ａ）、（ｂ）、（ｃ）を比較して、記録工程及び照合工程に要する時間は、２つのＬＤを配置した（ａ）と（ｂ）では、ｔ３−ｔ１（≒ｔ２−ｔ１）、一つのＬＤを配置した（ｃ）では、ｔ４−ｔ１となり、ｔ４−ｔ３の短縮が可能である。両工程における光ディスク１１の回転速度が一定とすると、前者は後者の約半分となる。すなわち、２つのＬＤを配置することによって、記録直後に逐次再生することが可能となり、記録工程及び照合工程に要する時間を従来比で半減化、言い換えると、約２倍の高速記録照合化が可能となる。
【００６８】
なお、記録したデータの照合は、記録したデータの全てにわたって、逐次、実行されるので、一つの単位毎にデータの照合を行う従来の方法と同様に、信頼性の高いデータを記録した光ディスクを提供することは変わりない。
【００６９】
以上、本発明の実施例を説明したが、本発明は上記実施例に限定されるものではなく、本発明の要旨を逸脱しない範囲内で種々変形して実施することができる。
【００７０】
例えば、記録照合速度を最も高くするために、記録用の第１ＬＤ照射部と再生用の第２ＬＤ照射部は、トラック上で距離が最短になるように配置された実施例を示した。光ディスクの約１回転分の遅れは無視できる場合、第１ＬＤ照射部は、一連の記録動作において、時間的に、後に記録される側のトラック上の位置を照射して、第２ＬＤ照射部は、先に記録される側のトラック上の位置を照射するように配置されていれば、両ＬＤ照射部が隣り合うトラックにまたがるように配置されていても差し支えない。
【００７１】
また、波長６５０ｎｍ帯の赤色ＬＤを使用したＤＶＤ−ＲＡＭ記録再生用に２つのＬＤを使用する例を示したが、他のＤＶＤ規格の書き込み／書き換え可能な光ディスクに対する光情報記録再生装置に適用可能である。ＣＤ用の２つのＬＤとして、波長７８０ｎｍ帯の赤外ＬＤに適用することはできるし、ＭＯ用の２つのＬＤとして、波長６８０ｎｍ帯または６５０ｎｍ帯の赤色ＬＤを用いた光情報記録再生装置に適用することは可能である。また、同様に、より高密度記録が可能な４０５ｎｍ帯等の青紫色ＬＤを用いた光情報記録再生装置に適用することは可能である。
【００７２】
また、モノリシックな２つのＬＤの発光点間隔が１１０μｍのものを選んだが、一方のＬＤ光を受光ＰＤＩＣあるいはモニタＰＤの受光部で受光して、他方をこれらの受光部から外すには適度な間隔である。ＬＤ光の広がり角、受光部までの距離等から、この発光点間隔は５０μｍ以上あることが好ましい。また、レンズやビームスプリッタを２つのＬＤ光で共用するためには２００μｍ以下が好ましい。
【００７３】
また、同一波長帯に属する２つのＬＤをモノリシックに形成する例を示したが、同一波長帯とは、波長を変化させて行った時、光情報記録再生装置で同様な機能を維持できる範囲のことである。例えば、波長６５０ｎｍ帯で設計した光情報記録再生装置に波長６７０ｎｍのＬＤで置き換えても、同様な機能を発揮できる。すなわち、６５０ｎｍ帯で設計した光情報記録再生装置の２つのＬＤを６７０ｎｍのＬＤで置き換えてもよいし、一方を６５０ｎｍのＬＤ、他方を６７０ｎｍのＬＤで置き換えた組合せでもよい。しかしながら、設計した波長から２５ｎｍを越えてずれると、光情報記録再生装置の機能を全て発揮することが難しくなる。通常、設計値の中心波長のＬＤを使用するので、２つのＬＤの波長の許容範囲は、±２５ｎｍとなる。
【００７４】
また、同一波長帯に属する２つのＬＤをモノリシックに形成する例を示したが、例えば、ＣＤとＤＶＤ両方の記録と再生が可能な光情報記録再生装置用に、６５０ｎｍ帯用の２つのＬＤと７８０ｎｍ帯用の２つのＬＤの合計４つのＬＤをモノリシックに集積した集積レーザを作製して、利用することは可能である。同様に、４０５ｎｍ帯用の２つの青紫色ＬＤを加えて、組合せた合計４つ、あるいはそれ以上のＬＤをハイブリッドまたはモノリシックに集積した集積レーザを形成して利用することは可能である。
【００７５】
また、集積レーザは金属製の外囲器に収納されている例を示したが、リードフレームにＬＤチップを搭載して、プラスチック材を組合せた外囲器に収納されていても差し支えない。
【図面の簡単な説明】
【００７６】
【図１】本発明の実施例に係る光情報記録再生装置の構成を概略的に示すブロック図。
【図２】本発明の実施例に係る光情報記録再生装置の主要部品である光学ヘッドを概略的に示す構成図。
【図３】本発明の実施例に係る外囲器の一部を切欠した光学ヘッドの主要部品である集積レーザの斜視図。
【図４】本発明の実施例に係る２つのＬＤをモノリシックに集積したＬＤチップを示す斜視図。
【図５】本発明の実施例に係る情報の記録及び照合の動作を示すフローチャート。
【図６】本発明の実施例に係る光ディスクの記録層上に記録された記録マークと２つのＬＤの照射部を拡大して模式的に示す平面図。
【図７】本発明の実施例に係る２つのＬＤを使用して行う記録工程及び照合工程における光出力を一つのＬＤを使用した場合と比較したタイムチャート。
【符号の説明】
【００７７】
１  光ディスク装置
５  集積レーザ
１１  光ディスク
１２  スピンドルモータ
１３  光学ヘッド
１４  ＬＤ制御部
１５  変調部
１６  データ照合部
１７  復調部
１８  サーボ制御部
２１  コントローラ
２２  インタフェース
３０  ＬＤチップ
３１  第１ＬＤ
３２  第２ＬＤ
３３  リードピン
３４  第１モニタＰＤ
３５  ビームスプリッタ
３６  コリメートレンズ
３７  対物レンズ
３８  集光レンズ
３９  受光ＰＤＩＣ
４０  第２モニタＰＤ
４１  第１ＬＤ光
４２  第２ＬＤ光
４３  分離溝
４５  絶縁性サブマウント
４６  ステム
４７  キャップ
４８  ウィンドウガラス
５１  第１ＬＤ照射部
５２  第２ＬＤ照射部
５５  記録マーク
【図１】
2005182911.tif 000003
【図２】
2005182911.tif 000004
【図３】
2005182911.tif 000005
【図４】
2005182911.tif 000006
【図５】
2005182911.tif 000007
【図６】
2005182911.tif 000008
【図７】
2005182911.tif 000009